(57)【要約】【課題】遠隔見守りシステムの撮像設定装置であって、外出先から宅内の撮像を閲覧して住まいの見守りが可能な携帯端末を使用して、撮像結果の閲覧だけでなく、随時撮像、センサ反応撮像、予約撮像の実行・停止・設定などの操作を可能とし、また、外出先からセンサスイッチをオン操作することを可能とする。【解決手段】宅内装置１，２，３は、インターネット７に接続され、センサ１３，２３，３３の動作機能をＯＮ／ＯＦＦさせるセンサスイッチを備え、サーバ装置４から送信された撮像設定、センサスイッチのＯＮ／ＯＦＦ設定その他の制御命令を受けて動作する。サーバ装置４は、ブラウザ機能付き携帯端末６１からインターネット７経由で閲覧可能とされ、携帯端末６１から送信された各種設定内容が格納されるリクエスト情報データベースを備え、常時接続の場合もダイヤルアップ接続の場合にも、それら設定内容に応じた制御命令を宅内装置１，２，３に送信する。【選択図】図１
2005333294.tif 000002
【特許請求の範囲】
【請求項１】
宅内に配置されて宅内の所定エリアをカメラにて撮像し、その撮像画像を送信する機能を有する宅内装置と、インターネットに接続されて前記宅内装置から撮像画像を電話回線及びインターネットを介して受信すると共に、その画像をインターネット及び電話回線を介してブラウザ機能付き携帯端末に送信する機能を有するサーバ装置とを備え、少なくとも同携帯端末からの指示による随時撮像と、宅内に配置されたセンサの反応による撮像（センサ反応撮像という）と、予約設定による撮像（予約撮像という）を行う遠隔見守りシステムの撮像設定装置であって、
前記宅内装置は、ネットワーク接続機器及びインターネット・サービス・プロバイダ（以下、ＩＳＰという）を介してインターネットに接続され、センサの動作機能をＯＮ／ＯＦＦさせるセンサスイッチを備え、さらに、サーバ装置から送信された撮像設定、センサスイッチのＯＮ／ＯＦＦ設定その他の制御命令を受けて該設定内容に応じて動作する制御命令実行手段を備え、
前記サーバ装置は、
ユーザによるブラウザ機能付き携帯端末からインターネット経由でアクセスして閲覧可能とされ、該携帯端末から送信された、少なくとも前記センサスイッチのＯＮ／ＯＦＦ設定、センサ反応撮像設定、予約撮像設定、及び撮像結果の保存・削除設定の各内容が更新自在に格納されるリクエスト情報データベースと、
前記リクエスト情報データベースに格納された各種設定内容に応じた制御命令を、宅内装置がインターネットに常時接続の場合は、携帯端末からの指示に応じて宅内装置に送信し、宅内装置がダイヤルアップ接続の場合は、携帯端末からのコールバック要求に応じてダイヤルアップ接続した宅内装置に送信する制御命令送信手段と、を備え、
前記宅内装置とセンサスイッチ及び撮像結果の保存・削除についての各種設定を遠隔の携帯端末から行えるようにしたことを特徴とする遠隔見守りシステムの撮像設定装置。
【請求項２】
宅内に配置されて宅内の所定エリアをカメラにて撮像し、その撮像画像を送信する機能を有する宅内装置と、インターネットに接続されて前記宅内装置から撮像画像を電話回線及びインターネットを介して受信すると共に、その画像をインターネット及び電話回線を介してブラウザ機能付き携帯端末に送信する機能を有するサーバ装置とを備え、少なくとも同携帯端末からの指示による随時撮像と、宅内に配置されたセンサの反応による撮像（センサ反応撮像という）と、予約設定による撮像（予約撮像という）を行う遠隔見守りシステムの撮像設定装置であって、
前記宅内装置は、ネットワーク接続機器及びインターネット・サービス・プロバイダ（以下、ＩＳＰという）を介してインターネットに接続され、センサの動作機能をＯＮ／ＯＦＦさせるセンサスイッチを備え、さらに、サーバ装置から送信された撮像設定、センサスイッチのＯＮ／ＯＦＦ設定その他の制御命令を受けて該設定内容に応じて動作する制御命令実行手段を備え、
前記サーバ装置は、
ユーザによるブラウザ機能付き携帯端末からインターネット経由でアクセスして閲覧可能とされ、該携帯端末から送信された、少なくとも前記センサスイッチのＯＮ／ＯＦＦ設定、センサ反応撮像設定、予約撮像設定、及び撮像結果の保存・削除設定の各内容が更新自在に格納されるリクエスト情報データベースと、
前記リクエスト情報データベースに格納された各種設定内容に応じた制御命令を宅内装置に送信する制御命令送信手段と、を備えたことを特徴とする遠隔見守りシステムの撮像設定装置。
【請求項３】
前記制御命令送信手段は、前記リクエスト情報データベースに格納された各種設定内容に応じた制御命令を、宅内装置がインターネットに常時接続の場合は、携帯端末からの指示に応じて宅内装置に送信し、宅内装置がダイヤルアップ接続の場合は、携帯端末からのコールバック要求に応じてダイヤルアップ接続した宅内装置に送信することを特徴とした請求項２記載の遠隔見守りシステムの撮像設定装置。
【発明の詳細な説明】
【技術分野】
【０００１】
本発明は、インターネット上のウェブサーバを用いた遠隔監視（見守り）システムの撮像設定装置に関する。
【背景技術】
【０００２】
従来から、インターネットに接続されたカメラから画像蓄積サーバに対して画像情報を送信し、その画像情報をユーザの端末装置に提供する遠隔監視システムが知られている（例えば、特許文献１参照）。
【０００３】
また、同様な遠隔監視システムにおいて、カメラにより撮像した画像データを送信用データに変換し、その変換データを含むＷｅｂページを作成してＷｅｂサーバにアップロードし、遠隔地のユーザかＷｅｂページにアクセスするようにしたものが知られている（例えば、特許文献２参照）。
【０００４】
また、上記と同等なホームセキュリティ情報通知システムであって、検知された異常の種類に対応したメッセージが格納されたデータベースを有し、当該異常に対応するメッセージと撮像内容を電話回線を介して通知するものが知られている（例えば、特許文献３参照）。
【０００５】
また、留守宅の状態を外出先で容易に確認することができるように、予め定められた条件を満たした際に静止画像データ又は所定時間分の動画データを、ネットワークとの間でデータの授受が可能に構成された特定のサイトに自動的に転送して保存させ、ネットワークを介してサイトにデータを要求した端末へデータをネットワーク経由で配信するものがある（特許文献４参照）。
【特許文献１】特開２００２−１０１４０７号公報
【特許文献２】特開２００２−３４０２９号公報
【特許文献３】特開２００１−１２６１７３号公報
【特許文献４】特開２００２−１１２２４５号公報
【発明の開示】
【発明が解決しようとする課題】
【０００６】
ところで、上記のような従来の遠隔監視システムにおいては、外出先からカメラ撮像の操作に限界があった。具体的には、１）センサの反応をトリガーにした撮像（センサ反応撮像という）方法の場合は、望まれない撮像であることが外出先から確認できたとしても、外出先から容易に撮像の停止ができるようにはなっていない。また、外出後、センサ反応撮像のためのスイッチ（センサスイッチという）をオンにすることを忘れたことに気付いた場合には、センサ反応撮像を諦めるか、又は、一旦帰宅して、センサスイッチをオンにしなければならなかった。２）時間間隔予約撮像と時刻予約撮像を可能とするものがあるが（特許文献４参照）、その予約設定を遠隔地のブラウザ機能付き携帯電話等から行うことは考えられていない。３）撮像結果の自動削除機能と保存機能の使い分けの選択が遠隔地のブラウザ機能付き携帯電話等からできるようにはなっていない。４）カメラ付き装置のインターネット接続形態が常時及びダイヤルアップ接続の両方式の場合に対して、１）〜３）を実現できるようにはなっていない。
【０００７】
本発明は、上記要請に応えるものであり、外出先から宅内の撮像を閲覧して住まいの見守りが可能なブラウザ機能付き携帯端末を使用して、撮像結果の閲覧だけでなく、随時撮像、センサ反応撮像、予約撮像の実行・停止・設定などの操作を可能とし、また、外出先からセンサスイッチをオン操作することを可能とした遠隔見守りシステムの撮像設定装置を提供することを目的とする。
【課題を解決するための手段】
【０００８】
上述目的を達成するため、請求項１の発明は、宅内に配置されて宅内の所定エリアをカメラにて撮像し、その撮像画像を送信する機能を有する宅内装置と、インターネットに接続されて前記宅内装置から撮像画像を電話回線及びインターネットを介して受信すると共に、その画像をインターネット及び電話回線を介してブラウザ機能付き携帯端末に送信する機能を有するサーバ装置とを備え、少なくとも同携帯端末からの指示による随時撮像と、宅内に配置されたセンサの反応による撮像（センサ反応撮像という）と、予約設定による撮像（予約撮像という）を行う遠隔見守りシステムの撮像設定装置であって、前記宅内装置は、ネットワーク接続機器及びインターネット・サービス・プロバイダ（以下、ＩＳＰという）を介してインターネットに接続され、センサの動作機能をＯＮ／ＯＦＦさせるセンサスイッチを備え、さらに、サーバ装置から送信された撮像設定、センサスイッチのＯＮ／ＯＦＦ設定その他の制御命令を受けて該設定内容に応じて動作する制御命令実行手段を備え、前記サーバ装置は、ユーザによるブラウザ機能付き携帯端末からインターネット経由でアクセスして閲覧可能とされ、該携帯端末から送信された、少なくとも前記センサスイッチのＯＮ／ＯＦＦ設定、センサ反応撮像設定、予約撮像設定、及び撮像結果の保存・削除設定の各内容が更新自在に格納されるリクエスト情報データベースと、前記リクエスト情報データベースに格納された各種設定内容に応じた制御命令を、宅内装置がインターネットに常時接続の場合は、携帯端末からの指示に応じて宅内装置に送信し、宅内装置がダイヤルアップ接続の場合は、携帯端末からのコールバック要求に応じてダイヤルアップ接続した宅内装置に送信する制御命令送信手段と、を備え、前記宅内装置とセンサスイッチ及び撮像結果の保存・削除についての各種設定を遠隔の携帯端末から行えるようにしたものである。
【０００９】
請求項２の発明は、宅内に配置されて宅内の所定エリアをカメラにて撮像し、その撮像画像を送信する機能を有する宅内装置と、インターネットに接続されて前記宅内装置から撮像画像を電話回線及びインターネットを介して受信すると共に、その画像をインターネット及び電話回線を介してブラウザ機能付き携帯端末に送信する機能を有するサーバ装置とを備え、少なくとも同携帯端末からの指示による随時撮像と、宅内に配置されたセンサの反応による撮像（センサ反応撮像という）と、予約設定による撮像（予約撮像という）を行う遠隔見守りシステムの撮像設定装置であって、前記宅内装置は、ネットワーク接続機器及びインターネット・サービス・プロバイダ（以下、ＩＳＰという）を介してインターネットに接続され、センサの動作機能をＯＮ／ＯＦＦさせるセンサスイッチを備え、さらに、サーバ装置から送信された撮像設定、センサスイッチのＯＮ／ＯＦＦ設定その他の制御命令を受けて該設定内容に応じて動作する制御命令実行手段を備え、前記サーバ装置は、ユーザによるブラウザ機能付き携帯端末からインターネット経由でアクセスして閲覧可能とされ、該携帯端末から送信された、少なくとも前記センサスイッチのＯＮ／ＯＦＦ設定、センサ反応撮像設定、予約撮像設定、及び撮像結果の保存・削除設定の各内容が更新自在に格納されるリクエスト情報データベースと、前記リクエスト情報データベースに格納された各種設定内容に応じた制御命令を宅内装置に送信する制御命令送信手段と、を備えたものである。
【００１０】
請求項３の発明は、請求項２記載の遠隔見守りシステムの撮像設定装置において、制御命令送信手段は、リクエスト情報データベースに格納された各種設定内容に応じた制御命令を、宅内装置がインターネットに常時接続の場合は、携帯端末からの指示に応じて宅内装置に送信し、宅内装置がダイヤルアップ接続の場合は、携帯端末からのコールバック要求に応じてダイヤルアップ接続した宅内装置に送信するものである。
【発明の効果】
【００１１】
本発明によれば、
１）宅内装置がインターネットに常時接続される環境とダイヤルアップ接続される環境の両環境において、随時撮像、センサ反応撮像、予約撮像の実行・停止・設定をブラウザ機能付き携帯端末から可能となるため、利用可能なユーザ層が広がり、利便性が増す。
２）外出先にいるユーザが、宅内の家族やペットの確認をしたいとき、ブラウザ機能付携帯端末等を使用して随時撮像して、携帯端末でブラウジングすることができる。
３）ユーザが外出時に、センサ反応撮像が設定されている場合に、予定外の家族の帰宅など、目的外の撮像があったときに、外出先からブラウザ機能付き携帯端末を使用してセンサ反応撮像を停止させることができる。
４）時間間隔予約撮像と時刻予約撮像の設定・変更・解除を、ブラウザ機能付き携帯端末を使用して、外出先から行うことができる。
５）ブラウザ機能付き携帯端末を使用して外出先から撮像結果を閲覧することができるだけでなく、撮像結果の保存・削除についての各種設定を行えるので、画像枚数が規定枚数の限界に達すると、撮像年月日時刻の古いものから順に自動削除したり、また、記録に止めたい画像を閲覧画面上からロック操作して自動削除されないようにすることができる。
【発明を実施するための最良の形態】
【００１２】
以下、本発明を具体化した実施形態による遠隔見守りシステムについて図面を参照して説明する。図１は遠隔見守りシステムの全体構成を示す。この遠隔見守りシステムは、ユーザ宅内の状況を宅外から見守るために宅内の撮像画像を宅外から確認可能とするシステムであり、宅内の状況を外部に送信する機能を持つ宅内装置１，２，３と、これら宅内装置１，２，３をインターネット７経由で遠隔制御すると共に外部端末６としての携帯端末６１又はパソコン６２との間で交信されるサーバ装置４（Ｗｅｂサーバ）とを備える。宅内装置１，２，３は、実運用では多数あり（図示では３ユーザ分を示している）、携帯端末６１等もユーザ毎にある。
【００１３】
宅内装置１，２，３は、それぞれ本システム動作のための制御部１０，２０，３０や所定の見守りエリアを撮像するカメラ１１，２１，３１、人体センサ１３，２３，３３、センサの動作機能をＯＮ／ＯＦＦさせるセンサスイッチ等を備え、一般の家電製品と同様にユーザによって宅内の適宜の位置、例えば子供や老人、ペット等が居る部屋に設置され、ルータ内蔵ｘＤＳＬ（Digital Subscriber Line;ｘは総称）モデム又はブロードバンド・ルータ１２，２２、電話回線８及びインターネット・サービス・プロバイダ（Internet Service Provider、ＩＳＰという）を介してインターネット７に接続される。宅内装置１，２，３は、センサ１３，２３，３３の反応時に所定の動作を実行し、また外部端末６からの操作指示に応じてサーバ装置４経由で受信した遠隔操作命令を実行し、サーバ装置４に宅内情報、例えば撮像画像をアップロードする機能を持つ。各宅内装置にカメラが増設されることもある。
【００１４】
サーバ装置４は、ルータ４５、ＩＳＰを介してインターネット７に接続され、本遠隔見守りシステムを運営し、サービスを提供するサーバ４１，４２，４３，４４等から成り、宅内装置１，２，３から受信した宅内情報をインターネット７及び携帯電話回線９又は電話回線８を介して対応する外部端末６に通知し、外部端末６からの要求に応じて撮像画像を外部端末６に送信する機能を持つ。サーバ装置４は、外部端末６にて設定された遠隔操作命令を携帯電話回線９又は電話回線８及びインターネット７を介して受信して、その遠隔操作命令をインターネット７及び電話回線８を介して宅内装置１，２，３に転送し、また、宅内装置１，２，３にて撮像された画像を電話回線８及びインターネット７を介して受信して、その画像をインターネット７及び携帯電話回線９又は電話回線８を介して対応する外部端末６に転送する。
【００１５】
外部端末６は、携帯電話回線９又は電話回線８及びインターネット７を介してサーバ装置４に接続可能になっているブラウザ機能付きの端末である。このような携帯端末６としては、ユーザの所持する携帯電話機やＰＤＡ（Personal Digital Assistant）等の携帯端末６１やパソコン６２がある。請求項でいうブラウザ機能付き携帯端末はこれら全てを含む。これら外部端末６は、宅内装置１，２，３にて撮像された画像の送信命令を含む宅内装置を制御するための遠隔操作命令をサーバ装置４に対して設定し、また、宅内装置１，２，３にて撮像された画像を表示する機能を持つ。
【００１６】
宅内装置１，２，３についてさらに詳細説明する。この内の宅内装置１，２は、ＡＤＳＬ等のブロードバンド回線を介してインターネット７、さらにはサーバ装置４に常時接続可能な環境構成を示し、宅内装置３は、ダイヤルアップ接続の環境構成を示している。
【００１７】
サーバ装置４は、ユーザによる外部端末６（以下では携帯端末６１で説明する）からの遠隔操作時に、携帯端末６１から送信されたユーザＩＤとパスワードを認証してログイン可能となるもので、宅内装置１，２，３から送信されたユーザＩＤに対応する宅内装置のシリアル番号、ステータス情報、動的グローバルＩＰ、及び携帯端末６１から送信された各種設定内容に応じた制御命令を格納・管理し（後述するリクエスト情報データベース）、管理された動的グローバルＩＰアドレスへ遠隔操作命令を送信する機能（制御命令送信手段）を持つ。宅内装置がインターネットに常時接続の場合は、サーバ装置４は、携帯端末６１からの指示に応じて宅内装置に制御命令を送信し、宅内装置がダイヤルアップ接続の場合は、携帯端末６１からのコールバック要求に応じてダイヤルアップ接続した宅内装置に制御命令を送信する。
【００１８】
次に、上記のような遠隔見守りシステムにおける撮像動作の概要を、図２（ａ）（ｂ）を参照して説明する。図２（ａ）は、図１の宅内装置１（ここでは、代表して常時接続された宅内装置１）のセンサ反応による撮像動作（センサ反応撮像）時の、宅内装置１とサーバ装置４と携帯端末６１との間におけるタイムチャートである。図２（ｂ）は、携帯端末６１からの操作による随時撮像時の同様のタイムチャートである。
【００１９】
まず、図２（ａ）のセンサ反応撮像において、（１）宅内装置１は、人体センサ１３により侵入者等を検出すると、カメラ１１にて撮像している画像をキャプチャする。（２）宅内装置１は、サーバ装置４へセンサ反応（異常が発生した旨）を通知すると共に、キャプチャした画像をサーバ装置４に送信する。（３）サーバ装置４は、宅内装置１から送られてきた画像を保存し、（４）センサ反応を携帯端末６１に電子メールで通知する。ユーザは、携帯端末６１に届いた電子メールにより異常が発生したことを知り、（５）携帯端末６１を操作して、携帯端末６１をサーバ装置４に接続し、画像送信を要求する。（６）サーバ装置４は、送信要求に応じて、保存画像を携帯端末６１に送信し、（７）携帯端末６１は、サーバ装置４から送られてきた画像をブラウザにより表示する。ユーザは、その表示画像を見ることで、センサ反応時に撮像された画像を確認することができる。
【００２０】
図２（ｂ）の随時撮像において、（１１）ユーザは、携帯端末６１を操作してウェブサイトへのコネクション要求をすることで携帯端末６１をサーバ装置４に接続し、ブラウザによりユーザＩＤ、パスワード入力する。（１２）サーバ装置４は、ユーザＩＤ、パスワードなどを認証し、（１３）サーバ装置４が備えるリクエスト情報データベースに基づき、ウェブサイトのＨＴＭＬデータを携帯端末６１に送信する。（１４）携帯端末６１ではこれを受けてブラウザによりウェブサイト画面が表示され、ユーザはこのウェブサイト画面上で撮像の設定操作（遠隔操作命令の１つ）を行って、（１５）撮像指示をサーバ装置４に送信する。（１６）サーバ装置４は、宅内装置１に対して撮像制御命令を送信し、（１７）宅内装置１は、サーバ装置４から受取った遠隔操作命令を実行、すなわち、宅内を撮像し、（１８）撮像データをサーバ装置４に送信する。（１９）サーバ装置４は、撮像画像を保存し、（２０）さらに携帯端末６１に撮像したことをメールで通知する。（２１）ユーザは携帯端末６１を操作して、サーバ装置４に接続し、画像送信を要求することで、（２２）サーバ装置４は撮像画像を送信する。（２３）ユーザは、携帯端末６１の表示で宅内画像を確認することができる。なお、ダイヤルアップ接続の場合は、携帯端末６１からコールバック要求を行う手順が上記（１５）と（１６）の間に入る。
【００２１】
本発明の遠隔見守りシステムは、上記の携帯端末６１からの指示による随時撮像と、センサ反応撮像の他に、次のような、予約設定による撮像（予約撮像という）を行うことができる撮像設定装置を構築している。そのために、サーバ装置４には、ユーザによるブラウザ機能付き携帯端末からインターネット経由でアクセスして閲覧可能な、各種撮像設定を可能とするウェブサイトがアップロードされ、携帯端末６１から送信された、「センサスイッチのＯＮ／ＯＦＦ設定」、「センサ反応撮像設定」、「予約撮像設定」、及び「撮像結果の保存・削除設定」の各内容が更新自在に格納されるリクエスト情報データベースを備えている。また、宅内装置１，２，３の制御部１０，２０，３０は、サーバ装置４から送信された撮像設定、センサスイッチのＯＮ／ＯＦＦ設定その他の制御命令を受けて該設定内容に応じて動作する（制御命令実行手段）。
【００２２】
図３は、サーバ装置４におけるウェブサイトの「撮像設定」に関するメニューを示している。トップメニューから撮像設定メニューに入ると、撮像設定メニューには、「随時撮像」（＃１）、「センサ反応撮像設定」（＃２）、「センサ反応撮像の停止」（＃３）、「予約撮像設定」（＃４）（「予約する」メニューであり、これには、時刻予約（＃５）と間隔予約（＃６）がある）、「予約撮像の解除」（＃７）、「撮像結果の閲覧」（＃８）（「写真を見る」メニュー）、「撮像結果の自動削除と保存」（＃９）、及び「その他のメニュー」（＃１０）とがある。これらメニューは、携帯端末６１の画面にブラウジングによりスクロールすることで順に表示される。以下に、これら各種設定について具体的に説明する。
【００２３】
これら設定とその変更は、サーバ装置４にあるウェブサイトのメニュー画面を携帯端末６１に表示させ、かつ、サーバ装置４にあるリクエスト情報データベースより取得した、現在の設定状況を表示させて、ウェブページ上で行う。まず、「随時撮像」（＃１）は、それを設定した状態で、携帯端末６１から指示することで行う。随時撮像の動作は、上述の図２（ｂ）に示した通りである。
【００２４】
次に、「センサ反応撮像設定」（＃２）と、「センサ反応撮像の停止」（＃３）については、サーバ装置４にあるウェブサイトのセンサスイッチのＯＮ／ＯＦＦ設定画面を携帯端末６１に表示させ、リクエスト情報データベースより、現在のセンサスイッチのＯＮ／ＯＦＦ状況を取得して、これを表示させ、現在状況を変更したい場合は、ウェブページ上でＯＮ又はＯＦＦを選択することにより行う。
【００２５】
図４（ａ）（ｂ）は、それぞれ常時接続の場合とダイヤルアップ接続の場合におけるセンサスイッチのＯＮ／ＯＦＦ設定のタイムチャートを示す。図４（ａ）の常時接続においては、（３１）まず、ユーザは、携帯端末６１を操作してウェブサイトへのコネクション要求をすることで携帯端末６１をサーバ装置４に接続し、ブラウザによりユーザＩＤ、パスワード入力する。（３２）サーバ装置４は、ユーザＩＤ、パスワードなどを認証し、（３３）サーバ装置４が備えるリクエスト情報データベースに基づき、ウェブサイトのＨＴＭＬデータを携帯端末６１に送信する。（３４）携帯端末６１ではこれを受けてブラウザによりウェブサイト画面が表示され、ユーザはこのウェブサイト画面上でセンサ設定操作を行って、（３５）センサ設定をサーバ装置４に送信する。この設定操作時の表示画面は、Ａ，Ｂと変化する。（３６）サーバ装置４は、宅内装置１に対してセンサスイッチ制御命令を送信し、（３７）宅内装置１は、サーバ装置４から受取ったセンサスイッチ制御命令を実行し、（３８）命令実行結果をサーバ装置４に通知する。（３９）サーバ装置４は、リクエスト情報データベースを更新し、（４０）さらに携帯端末６１にセンサ設定をメールで通知する。
【００２６】
図４（ｂ）のダイヤルアップ接続においては、（３１）〜（３５）までは上記と同等であり、その後、（５１）ユーザは、携帯端末６１を操作して宅内装置１にコールバック要求をする。ここに、ＨＴＭＬによる「phone to」命令を送信する。（５２）宅内装置１はこの命令を受けて、サーバ装置４にダイヤルアップ接続する。その後、（３６）サーバ装置４は、宅内装置１に対してセンサスイッチ制御命令を送信し、以下は、上記と同様である。
【００２７】
図５は上記予約撮像（＃４）における時刻予約（＃５）のフローを、図６は時刻予約を行う時の携帯端末６１のスクロール前後の画面表示例を示す。常時接続の場合（以下、同様）を示す。時刻予約には、まず、宅内装置に複数のカメラが備えられている場合、撮影したいカメラ名を選択する（＃５１）。なお、オプションカメラが定義されていない場合は、カメラ選択は表示しない。次に、時刻予約の無効／有効を指定する（＃５２）。初期値はＯＮである。次に、予約実行間隔「今日」「毎日」を指定する（＃５３）。次いで予約時刻を登録する（＃５４）。その後、ＯＫキー選択なら、予約確認画面を表示した後（＃５５）、「予約する」メニューとなる（＃４）。戻るキー選択なら、「予約する」メニューとなる（＃４）。ＴＯＰキー選択なら、トップメニューとなる。
【００２８】
図７は上記予約撮像（＃４）における間隔予約（＃６）のフローを、図８は間隔予約を行う時の携帯端末６１の画面表示例を示す。間隔予約には、上記と同様、撮影したいカメラ名を選択する（＃６１）。次に、間隔予約の無効／有効を指定する（＃６２）。次に、予約「開始時刻」「終了時刻」及び撮影間隔を指定する（＃６３）。撮影間隔は、例えば最低１時間とする。その後、ＯＫキー選択なら、予約確認画面を表示した後（＃６４）、「予約する」メニューとなる（＃４）。戻るキー選択なら、「予約する」メニューとなる（＃４）。ＴＯＰキー選択なら、トップメニューとなる。
【００２９】
図９は上記撮像結果の自動削除と保存（＃９）のフローを、図１０はその時の携帯端末６１のスクロール前後の画面表示例を示す。まず、撮影したカメラ名を選択する（＃９１）。次に、カメラ毎に複数の撮像データがグループ分けされていることから、一度に表示できる「表示グループ」を指定する（＃９２）。画像ロック（上書き防止）されている画像については四角のチェックボックスがチェック（黒色）されている。次に、画像ロックをさせたいチェックボックスをチェックする（＃９３）。画像ロックを解除したいチェックボックスのチェックを外す（＃９４）。その後、戻るキー選択なら、「写真を見る」メニューとなる（＃８）。ＴＯＰキー選択なら、トップメニューとなる。
【００３０】
上記のように、ユーザは外出先からブラウザ機能付き携帯端末６１を用いて、宅内装置の撮像動作、特に、随時撮像、予約撮像の各設定、宅内装置のセンサスイッチのＯＮ／ＯＦＦ設定、及び撮像結果の保存・削除についての設定を任意に行うことができ、例えば、センサスイッチをＯＮ設定することを忘れて外出したような場合であっても、外出先からセンサスイッチをＯＮ設定することができ、また、不必要な撮像を防止するために、外出先からセンサスイッチをＯＦＦ設定に変更してセンサ反応撮像中の撮影の中止を指示するといったことが可能となる。
【００３１】
本発明は、発明の趣旨を変更しない範囲で種々の変形が可能である。例えば、遠隔見守りシステムは、上記以外の実施形態であっても同様に適用可能である。
【図面の簡単な説明】
【００３２】
【図１】本発明の一実施形態に係る遠隔見守りシステムの全体構成図。
【図２】（ａ）は同上システムにおける宅内装置とサーバ装置と携帯端末の間でのセンサ反応撮像のタイムチャート図、（ｂ）は随時撮像のタイムチャート図。
【図３】同上システムにおける撮像設定メニューでの各種設定内容を示す図。
【図４】（ａ）は同上システムにおける常時接続の場合の、センサスイッチのＯＮ／ＯＦＦ設定のタイムチャート図、（ｂ）はダイヤルアップ接続の場合の、センサスイッチのＯＮ／ＯＦＦ設定のタイムチャート図。
【図５】同上システムにおける時刻予約の設定を示すフローチャート図。
【図６】上記時刻予約の設定を行うときの画面を示す図。
【図７】同上システムにおける間隔予約の設定を示すフローチャート図。
【図８】上記間隔予約の設定を行うときの画面を示す図。
【図９】同上システムにおける撮像結果の自動削除と保存の設定を示すフローチャート図。
【図１０】上記撮像結果の自動削除と保存の設定を行うときの画面を示す図。
【符号の説明】
【００３３】
１，２，３  宅内装置
１０，２０，３０  制御部（制御命令実行手段）
１１，２１，３１  カメラ
１２，２２  モデム又はブロードバンド・ルータ（ネットワーク接続機器）
１３，２３，３３  人体センサ（センサ）
４  サーバ装置（制御命令送信手段、リクエスト情報データベース）
６１  ブラウザ機能付き携帯端末
７  インターネット
８  電話回線
９  携帯電話回線
【図１】
2005333294.tif 000003
【図２】
2005333294.tif 000004
【図３】
2005333294.tif 000005
【図４】
2005333294.tif 000006
【図５】
2005333294.tif 000007
【図６】
2005333294.tif 000008
【図７】
2005333294.tif 000009
【図８】
2005333294.tif 000010
【図９】
2005333294.tif 000011
【図１０】
2005333294.tif 000012